(57)【特許請求の範囲】
【請求項１】
発光体が搭載された光学アダプタが着脱可能な先端部と、前記光学アダプタのアダプタ側電気接点と接続可能な挿入部側電気接点と、前記挿入部側電気接点と接続された信号線と、を有する挿入部と、
前記挿入部に対する前記光学アダプタの着脱を判定するための着脱判定用電源と、
前記発光体を点灯するための発光体点灯用電源と、
前記発光体を駆動電流で駆動する発光体駆動手段と、
前記信号線に対して、前記着脱判定用電源又は前記発光体点灯用電源のいずれかに接続するスイッチ手段と、
前記着脱判定用電源と前記信号線とが接続された場合の電流に基づいて、前記光学アダプタと前記挿入部との着脱を判定する光学アダプタ着脱判定手段と、
前記着脱判定用電源と前記信号線とが接続された場合の電流に基づいて、前記挿入部に装着された前記光学アダプタの種別を判定する光学アダプタ種別判定手段と、
前記光学アダプタ着脱判定手段により、前記光学アダプタが前記挿入部に装着されたことを判定すると、前記スイッチ手段を制御して、前記信号線と前記発光体点灯用電源との接続を行い、かつ、前記光学アダプタ種別判定手段により、前記挿入部に装着された前記光学アダプタの種別を判定すると、種別判定の結果に応じて前記発光体駆動手段を制御し、前記発光体に対する駆動電流を制御するシステム制御部と、
を備えていることを特徴とする内視鏡装置。
【請求項２】
前記光学アダプタは、１個以上が直列に接続して形成された前記発光体と並列に接続された抵抗とにより形成された前記抵抗体が２つの電気接点に接続されていることを特徴とする請求項１に記載の内視鏡装置。
【請求項３】
発光体が搭載された光学アダプタが着脱可能な先端部と、前記光学アダプタのアダプタ側電気接点と接続可能な挿入部側電気接点と、前記挿入部側電気接点と接続された信号線と、を有する挿入部と、
前記挿入部に対する前記光学アダプタの着脱を判定するための着脱判定用電源と、
前記発光体を点灯するための発光体点灯用電源と、
前記発光体を駆動電流で駆動する発光体駆動手段と、
前記信号線に対して、前記着脱判定用電源又は前記発光体点灯用電源のいずれかに接続するスイッチ手段と、
前記着脱判定用電源と前記信号線とが接続された場合の電流に基づいて、前記光学アダプタと前記挿入部との着脱を判定し、前記着脱判定用電源と前記信号線とが接続された場合の電流に基づいて、前記挿入部に装着された前記光学アダプタの種別を判定する光学アダプタ着脱種別判定手段と、
前記光学アダプタ着脱種別判定手段により、前記挿入部に装着された前記光学アダプタの種別を判定すると、種別判定の結果に応じて前記発光体駆動手段を制御し、前記発光体に対する駆動電流を制御するシステム制御部と、
を備えていることを特徴とする内視鏡装置。
【請求項４】
前記発光体は、発光ダイオードであり、前記着脱判定用電源の電圧は、前記発光ダイオードの順方向降下電圧の値未満に設定されることを特徴とする請求項１乃至３の何れかの請求項に記載の内視鏡装置。
【発明の詳細な説明】
【技術分野】
【０００１】
本発明は、光学アダプタが内視鏡挿入部の先端部に着脱自在に取り付けられる内視鏡装置に関する。
【背景技術】
【０００２】
近年、内視鏡挿入部を化学プラントやパイプ内部に挿入して光学的に検査、観察などができる内視鏡装置が工業用分野その他において、広く用いられるようになっている。工業用分野における内視鏡装置においては、さまざまな用途に対して、適切に使用できるよう、内視鏡挿入部の先端部に複数種類の光学アダプタを着脱可能にしたものがある。  
例えば第１の従来例としての特開２００４-３１３２４１号公報においては、内視鏡挿入部の先端部に複数種類の光学アダプタを着脱可能にした内視鏡装置が開示されており、この内視鏡装置においては光学アダプタ側に光学アダプタの種別を判定できるようにする判定部を設け、内視鏡装置の制御部で光学アダプタの種別を判定する光学アダプタ種別判定手段を設けている。
【０００３】
また、 第２の従来例としての特開２００１-６１７７７号公報には、Ｃ−ＭＯＳセンサと照明用ＬＥＤを搭載した撮像機能も備えた光学アダプタが内視鏡挿入部先端に着脱可能で、Ｃ−ＭＯＳセンサとＬＥＤの電気ケーブルを内視鏡挿入部に内挿し、Ｃ−ＭＯＳセンサからの映像信号出力部と、ＬＥＤに供給する電流値を制限する電流制限回路を操作部に備えた内視鏡装置が開示されている。
【特許文献１】特開２００４-３１３２４１号公報
【特許文献２】特開２００１-６１７７７号公報
【発明の開示】
【発明が解決しようとする課題】
【０００４】
第１の従来例の内視鏡装置では判定専用の信号線が必要であった。また、第２の従来例のように、光学アダプタにＬＥＤが搭載されたものにおいては、ＬＥＤ駆動用に専用の信号線が必要であった。  
従って、ＬＥＤが搭載された光学アダプタにおいて、光学アダプタの着脱状態及び、光学アダプタの種別を判定するには、光学アダプタの着脱判定用、光学アダプタ種別判定用、ＬＥＤ駆動用の信号線がそれぞれ必要となり、内視鏡挿入部径の小型化（細径化）と共に光学アダプタの小型化が困難で、使用できる用途が制約されてしまう問題がある。
【０００５】
（発明の目的）
本願は上述した点に鑑みてなされたもので、発光体が搭載された光学アダプタが、内視鏡挿入部の先端に着脱可能な内視鏡装置において、内視鏡挿入部に内挿される信号線数及び、光学アダプタ内の信号線数を少なくして内視鏡挿入部径の小型化及び光学アダプタの小型化を可能とする内視鏡装置を提供することを目的とする。
【課題を解決するための手段】
【０００６】
本発明は、発光体が搭載された光学アダプタが着脱可能な先端部と、前記光学アダプタのアダプタ側電気接点と接続可能な挿入部側電気接点と、前記挿入部側電気接点と接続された信号線と、を有する挿入部と、前記挿入部に対する前記光学アダプタの着脱を判定するための着脱判定用電源と、前記発光体を点灯するための発光体点灯用電源と、前記発光体を駆動電流で駆動する発光体駆動手段と、前記信号線に対して、前記着脱判定用電源又は前記発光体点灯用電源のいずれかに接続するスイッチ手段と、前記着脱判定用電源と前記信号線とが接続された場合の電流に基づいて、前記光学アダプタと前記挿入部との着脱を判定する光学アダプタ着脱判定手段と、前記着脱判定用電源と前記信号線とが接続された場合の電流に基づいて、前記挿入部に装着された前記光学アダプタの種別を判定する光学アダプタ種別判定手段と、前記光学アダプタ着脱判定手段により、前記光学アダプタが前記挿入部に装着されたことを判定すると、前記スイッチ手段を制御して、前記信号線と前記発光体点灯用電源との接続を行い、かつ、前記光学アダプタ種別判定手段により、前記挿入部に装着された前記光学アダプタの種別を判定すると、種別判定の結果に応じて前記発光体駆動手段を制御し、前記発光体に対する駆動電流を制御するシステム制御部と、
を備えていることを特徴とする。
上記構成において、光学アダプタの着脱判定の結果により、前記スイッチ手段を着脱判定用電源から発光体点灯用電源に切替えることにより、内視鏡挿入部に内挿される信号線の本数を削減して、内視鏡挿入部径の小型化及び光学アダプタの小型化を可能にしている。
【発明の効果】
【０００７】
本発明によれば、内視鏡挿入部に内挿される信号線の本数を削減して、内視鏡挿入部径の小型化及び光学アダプタの小型化を可能にする。
【発明を実施するための最良の形態】
【０００８】
以下、図面を参照して本発明の実施例を説明する。  
【実施例１】
【０００９】
図１ないし図４は本発明の実施例１に係り、図１は本発明の実施例１の内視鏡装置の全体構成を示し、図２は光学アダプタ着脱判定部及び光学アダプタ種別判定部など内視鏡装置における主要部の構成を示し、図３は図２のより具体的な回路構成を示し、図４は本実施例の動作内容を示す。  
図１に示すように本発明の実施例１の工業用の内視鏡装置１は、化学プラントやパイプ内部に挿入される内視鏡挿入部（以下、単に挿入部と略記）２と、この挿入部２の先端部３に着脱自在に接続される光学アダプタ４と、挿入部２の後端が連結され、画像処理手段等を内蔵した内視鏡装置本体５と、この内視鏡装置本体５と接続され、内視鏡画像等を表示する表示装置６と、ユーザが各種の指示操作等を行うユーザインタフェース７とから構成される。
【００１０】
挿入部２の先端部３には図示しないネジ部によるマウント手段が設けてあり、光学アダプタ４を着脱自在に接続（装着）することができるようにしている。  
光学アダプタ４には、対物レンズ１０と、この対物レンズ１０に隣接して配置された照明手段となる半導体発光体（半導体発光素子）としての発光ダイオード（ＬＥＤと略記）１１とが配置され、このＬＥＤ１１は抵抗１２を介して２つの接続用の電気接点１４と接続されている。なお、ＬＥＤ１１と抵抗１２は、電気的な抵抗体１３を形成する。  
一方、光学アダプタ４が着脱自在の先端部３には、電気接点１４に接続される電気接点１５と、対物レンズ１０に対向する位置に撮像素子として例えば電荷結合素子（ＣＣＤと略記）１６が配置されており、対物レンズ１０によりＣＣＤ１６の撮像面には光学像が結像される。
【００１１】
上記電気接点１５は、挿入部２内を挿通された２本の信号線１７ａ、１７ｂを介して内視鏡装置本体５内に設けたスイッチ回路１８等に接続される。この場合、信号線１７ａは、スイッチ回路１８を介して、光学アダプタ４の着脱を電気的に検出する電源としての着脱判定用電源２１と、ＬＥＤ１１に点灯用電源を供給するＬＥＤ点灯用電源２２とに接続される。  
また、信号線１７ｂは、スイッチ回路１８を介してＬＥＤ１１を駆動するＬＥＤ駆動部２３に接続されると共に、光学アダプタ４の着脱を電気的に判定する光学アダプタ着脱判定部２４と、光学アダプタ４の種別判定を電気的に行う光学アダプタ種別判定部２５とに接続される。  
なお、後述するように光学アダプタ着脱判定部２４は、着脱の判定結果によりスイッチ回路１８によるスイッチ切替の制御を行う。
【００１２】
また、ＣＣＤ１６は、挿入部２内を挿通された信号線２６を介して、内視鏡装置本体５に内蔵され、ＣＣＤ１６にＣＣＤ駆動信号を印加してＣＣＤ１６を駆動するＣＣＤ駆動部２７と、ＣＣＤ駆動信号の印加によりＣＣＤ１６から出力されるＣＣＤ出力信号に対する画像処理を行う画像処理部２８に接続される。  
また、この内視鏡装置本体５には、光学アダプタ種別判定部２５等と接続され、この内視鏡装置本体５内の各部の制御を行うシステム制御部２９が設けてある。  
このシステム制御部２９は、光学アダプタ種別判定部２５により光学アダプタ４の種別判定の制御信号が入力され、この種別判定の結果に応じてＬＥＤ駆動部２３を制御する。ＬＥＤ駆動部２３は、この制御により、ＬＥＤ１１への駆動電流（単に電流ともいう）が最適な値となるように可変設定される。
【００１３】
また、システム制御部２９は、光学アダプタ着脱判定部２４により光学アダプタ４が挿入部２の先端部３に接続された判定結果により、ＣＣＤ駆動部２７等を動作させるか否かを制御することも可能である。具体的には、光学アダプタ４が接続された場合には、ＣＣＤ駆動部２７等を動作させる制御を行い、光学アダプタ４が接続されていない場合には、ＣＣＤ駆動部２７等を非動作状態に設定して、省電力化を実現する（無駄な電力消費を低減する）。  
また、システム制御部２９は、ユーザインタフェース７から静止画表示指示などの指示入力が行われると、その指示入力に対応して画像処理部２８の画像処理動作を制御する。  さらにシステム制御部２９は、光学アダプタ着脱判定部２４により光学アダプタ４が挿入部２の先端部３に接続された判定結果により、スイッチ回路１８によりスイッチ切替の制御を行うことも可能である。  
上記のように本実施例の内視鏡装置１においては、挿入部２内にはＣＣＤ１６に接続された信号線２６を除くと、光学アダプタ４に接続される２本の信号線１７ａ、１７ｂで済むようにして、挿入部２の細径化を実現している。
【００１４】
また、光学アダプタ４側も２つの電気接点１４とした構成にすることにより、光学アダプタ４の小型化及び細径化を実現している。また、２つの電気接点１４とすることにより、光学アダプタ４内の信号線の本数を少なくし、小型化を実現している。  
図２は、本実施例における光学アダプタ４の着脱判定及び種別判定などを行う主要部の電気系の構成を示すブロック図である。  
光学アダプタ４の２つの電気接点１４に接続される挿入部２側の電気接点１５は２本の信号線１７ａ、１７ｂによりスイッチ回路１８における第１スイッチ１８ａの接点ｃと第２スイッチ１８ｂの接点ｃにそれぞれ接続される（第２スイッチ１８ｂに関しては、図２では機能的な表示を行っており、具体的には図３のような構成である）。  
第１スイッチ１８ａの接点ｃは、着脱判定用電源２１に接続された接点ａと、ＬＥＤ点灯用電源２２に接続された接点ｂとの一方と選択的に接続（ＯＮ）される。
【００１５】
一方、図２における第２スイッチ１８ｂは、簡略的に示しており、ＬＥＤ駆動部２３に電流が流れない（オープン）状態と流れる（クローズ）状態の切替を行う。また、図１でも説明したように、信号線１７ｂには、光学アダプタ４の着脱を判定する光学アダプタ着脱判定部２４と、光学アダプタ４の種別判定を行う光学アダプタ種別判定部２５とが接続されている。
【００１６】
そして、光学アダプタ着脱判定部２４は、図２に示すスイッチ回路１８の状態或いは図３に示す状態において、光学アダプタ４の着脱を、着脱判定用電源２１を用いて電気的に判定し、光学アダプタ４が接続されると、スイッチ回路１８の切替を行う。  
図３は、図２における主要部の詳細な回路構成を示す。  
光学アダプタ４においては、２つの電気接点１４間は直列接続のＬＥＤ１１が接続されると共に、光学アダプタ４の種別判定用の抵抗１２が並列に接続されている。この抵抗１２は、光学アダプタ４の種別に応じて異なる値に設定されている。より具体的には、光学アダプタ４に搭載されているＬＥＤ１１の個数、その発光特性等に応じて設定されている。そして、判定された種別に応じてＬＥＤ駆動部２３に流れる電流値を変更設定することにより、接続された光学アダプタ４に最適な状態で、ＬＥＤ１１を点灯させることができるようにしている。
【００１７】
本実施例では、上記のように光学アダプタ４内に設けた（複数の場合には）直列接続のＬＥＤ１１に対して、種別判定用の抵抗１２を並列に接続することにより、光学アダプタ４側に設ける接点数を２つにして小型化を可能にし、この２つの接点数にして以下に説明するように光学アダプタ４の着脱判定と種別判定とを行えるようにしていることが特徴となっている。  
一方、電気接点１５に接続された信号線１７ａは、スイッチ回路１８における第１スイッチ１８ａの接点ｃに接続され、第１スイッチ１８ａにおける接点ａは着脱判定用電源２１に、接点ｂはＬＥＤ点灯用電源２２に接続されている。  
第１スイッチ１８ａの接点ｃは、初期状態では図３に示すように接点ａとＯＮするように設定されており、図３に示すように電気接点１５と１４とが接続された場合には、着脱判定用電源２１から光学アダプタ４の抵抗１２を経由して光学アダプタ着脱判定部２４及び光学アダプタ種別判定部２５側に電源が供給されるようになっている。
【００１８】
また電気接点１５に接続された信号線１７ｂは、光学アダプタ着脱判定部２４を構成する抵抗３１の一端に接続され、この抵抗３１の他端は抵抗３２を介してグランド（ＧＮＤ）に接続されると共に、例えばＮチャンネル型のＦＥＴ３３のゲートに接続されている。このＦＥＴ３３のドレインは抵抗３４を介して電源端Ｖｃｃに接続されると共に、第１電圧検出回路３５の電圧検出端に接続されている。このＦＥＴ３３のソースはＧＮＤに接続されている。  
図３に示すように電気接点１４と１５とが接続されると、抵抗３１と３２との接続点の電圧がＦＥＴ３３のゲートに印加されることにより、このＦＥＴ３３がＯＦＦからＯＮ（ターンオン）し、第１電圧検出回路３５は、（０Ｖより大きい）電源端Ｖｃｃの状態から０Ｖを検出する状態となり、光学アダプタ４が接続されたと判定する。そして、第１電圧検出回路３５は、その出力端からその判定の結果の制御信号により後述するようにスイッチ回路１８の切替を制御する。
【００１９】
また、信号線１７ｂは、光学アダプタ種別判定部２５を構成する第２電圧検出回路３６に入力され、この第２電圧検出回路３６は、信号線１７ｂの電圧を検出することにより、光学アダプタ４の種別を判定する。そして、種別を判定した制御信号をシステム制御部２９に送る。  
そして、接続された光学アダプタ４の種別に応じてＬＥＤ１１を適切に点灯（発光）させるようにＬＥＤ駆動部２３による駆動電流を制御する。なお、本実施例等では、光学アダプタ種別判定部２５による種別判定の制御信号をシステム制御部２９に送り、システム制御部２９がＬＥＤ１１を適切に点灯するようにＬＥＤ駆動部２３による駆動電流を制御すると説明しているが、光学アダプタ種別判定部２５による種別判定の制御信号によりＬＥＤ駆動部２３による駆動電流を制御する構成にしても良い。
【００２０】
上記信号線１７ｂは、ＬＥＤ駆動部２３を構成するトランジスタ３７のコレクタに接続され、このトランジスタ３７のベースは、第２スイッチ１８ｂの接点ｃに接続されている。  
この第２スイッチ１８ｂにおける接点ａはＧＮＤに接続され、接点ｂはＬＥＤ駆動用電源に接続されている。初期状態では、この図３に示すように第１スイッチ１８ａの接点ｃは、接点ａとＯＮするように設定されており、トランジスタ３７をＯＦＦとする状態に設定している。  
また、このトランジスタ３７のエミッタはＬＥＤ駆動電流設定部３８を構成する複数の抵抗Ｒａ、Ｒｂ、…、Ｒｎに接続されている。これらの抵抗Ｒａ、Ｒｂ、…、Ｒｎは、それぞれスイッチとしての機能を持つトランジスタＱａ、Ｑｂ、…、Ｑｎのコレクタに接続されている。
【００２１】
また、トランジスタＱａ、Ｑｂ、…、Ｑｎは、そのエミッタがそれぞれＧＮＤに接続され、ベースにはシステム制御部２９からＬＥＤ点灯信号Ｓａ、Ｓｂ、…、Ｓｎが供給されるようになっている。  
これらの抵抗Ｒａ、Ｒｂ、…、Ｒｎ（簡単化のため、抵抗値も抵抗と同じ符号を用いる）は、例えばその抵抗値がＲａ＞Ｒｂ＞…＞Ｒｎに設定されている。そして、これらのＬＥＤ点灯信号Ｓａ、Ｓｂ、…、Ｓｎにおいて実際に印加するＬＥＤ点灯信号を選択設定することにより、トランジスタ３７のコレクタ−エミッタ間を流れる電流を変更設定できるようにしている。  
このような構成による本実施例の動作を説明する。
【００２２】
内視鏡装置本体５の電源がＯＮすると、光学アダプタ着脱判定部２４を構成する第１電圧検出回路３５の出力信号により、スイッチ回路１８の初期時の接点状態は図２或いは図３に示すように各接点ｃは、接点ａとＯＮする状態になっている。  
なお、この接点状態は、第１電圧検出回路３５の入力端の電圧が電源端Ｖｃｃの場合である（以下に説明するように入力端の電圧が０Ｖになると、第１電圧検出回路３５の出力信号により、スイッチ回路１８の接点切替の動作を行う）。  
ここで光学アダプタ４が接続されると、着脱判定用電源２１→スイッチ回路１８（の第１スイッチ１８ａ）→光学アダプタ４の抵抗体１３(の抵抗１２)→光学アダプタ着脱判定部２４(抵抗３１→抵抗３２)に至る（電流経路を構成する）閉回路（この閉回路を便宜上Ａと呼ぶ）が形成される。そして、光学アダプタ着脱判定部２４は、光学アダプタ４が接続されたと判定する。
【００２３】
着脱判定用電源２１の電圧は、光学アダプタ４のＬＥＤ１１のＶｆ(順方向降下電圧)以下に設定すれば、上記閉回路が成立する。）ＬＥＤ１１は、例えば白色ＬＥＤの場合、３．５Ｖ程度のＶｆのものが採用されており、着脱判定用電源２１の電圧は、このＶｆより小さい例えば２〜３Ｖ程度に設定されている。  
光学アダプタ着脱判定部２４のＦＥＴ１４のゲートには抵抗３２にかかる電圧が印加され、ＦＥＴ１４がターンオンする。ＦＥＴ１４がターンオンすると、第１電圧検出回路３５は、この０Ｖ(ＧＮＤ)の電圧を検出して、接続判定の制御信号を出力する。  
この接続判定の制御信号により、スイッチ回路１８は、図２或いは図３に示す接点状態とは異なる接点側がＯＮするように切り替えられる。本実施例では、この光学アダプタ着脱判定部２４の出力信号でスイッチ回路１８の切替を行うようにしているが、システム制御部２９を介してスイッチ回路１８の接点切替を制御するようにしても良い。
【００２４】
図２或いは図３に示す接点状態と異なる接点側に切り替えられることにより、ＬＥＤ点灯用電源２２→スイッチ回路１８→光学アダプタ４のＬＥＤ１１→ＬＥＤ駆動部２３(のトランジスタ３７→抵抗Ｒａ〜Ｒｎのいずれか)の閉回路が形成される。そして、光学アダプタ４のＬＥＤ１１が点灯する。  
さらにＬＥＤ点灯用電源２２→ スイッチ回路１８→光学アダプタ４のＬＥＤ１１→光学アダプタ着脱判定部２４(抵抗３１→抵抗３２)の閉回路（この閉回路を便宜上Ｂと呼ぶ）も成立しており、光学アダプタ着脱判定部２４は、光学アダプタ４が接続されたと判断し続け、スイッチ回路１８のスイッチを図２或いは図３に示した接点とは異なる接点ｂ側がＯＮする状態が維持される。  
尚、システム制御部２９はこのとき、光学アダプタ種別判定部２５からの種別判定結果の制御信号を読み込まないように制御する（着脱判定用電源２１に比較してＬＥＤ点灯用電源２２の電圧は大きい）。
【００２５】
光学アダプタ４の抵抗体１３(抵抗１２)の抵抗値は、ＬＥＤ１１点灯時(Ｖｆ以上)におけるＬＥＤ１１のアノード−カソード間の抵抗値（具体的には１００Ω程度以下）に比べて大きな値（例えば数１００ｋΩ）に設定されている。
【００２６】
これにより、ＬＥＤ１１点灯時において、抵抗体１３(抵抗１２)に流れる電流は、ＬＥＤ１１に流れる電流に対して微小であることから無視でき、抵抗体１３(抵抗１２)は開放と考えることができ、上記閉回路Ｂが成立する。  
また、図２に記載したスイッチ回路１８の下側の第２スイッチ１８ｂは、図３ではトランジスタ３７のベースとＬＥＤ駆動用電源或いはＧＮＤとの間に挿入されたスイッチにより構成されている。  
光学アダプタ４が接続されたと判断し、光学アダプタ着脱判定部２４の第１電圧検出回路３５により、この第２スイッチ１８ｂがＬＥＤ駆動用電源側がＯＮとなると、トランジスタ３７のベースにＬＥＤ駆動用電源が供給され、トランジスタ３７がターンオンし、トランジスタ３７のコレクタ−エミッタ間が導通する。
【００２７】
一方、光学アダプタ４が取り外されている時は、この第２スイッチ１８ｂはＧＮＤに接続される。つまりトランジスタ３７がターンオフのままで、トランジスタ３７のコレクタ−エミッタ間がオープンとなる。  
従ってトランジスタ３７がスイッチの動きをし、図２に記載したスイッチ回路１８の下側の第２スイッチ１８ｂのように表現できる。  
光学アダプタ４が接続され、ＬＥＤ１１が点灯した状態において、光学アダプタ４が取り外されると、光学アダプタ着脱判定部２４のＦＥＴ３３のゲートには、電圧が印加されず、ＦＥＴ３３がターンオフする。  
ＦＥＴ３３がターンオフすると第１電圧検出回路３５の電圧検出の入力端にはプルアップ用抵抗３４を介して電源端Ｖｃｃの電圧が印加（入力）される。
【００２８】
第１電圧検出回路３５の入力端に電源端Ｖｃｃの電圧が入力されると、第１電圧検出回路３５は、その電圧検出により、光学アダプタ４が非接続と判定する。そして、第１電圧検出回路３５の出力信号で、スイッチ回路１８の第１スイッチ１８ａ及び第２スイッチ１８ｂを、図２或いは図３に示す接点側がＯＮするように接点切替を行う。  
これにより着脱判定用電源２１より、高圧のＬＥＤ点灯用電源２２が電気接点１５に発生しなくなる。  
なお、ＬＥＤ駆動部２３内の抵抗Ｒａ〜Ｒｎは、トランジスタ３７の組合せで定電流回路が構成されている。  
光学アダプタ４が接続され、ＬＥＤ１１が点灯すると、
抵抗Ｒａ〜Ｒｎには、Ｖａ＝ＶB−ＶBE
ＶB＝トランジスタ３７のベース電圧（ＬＥＤ駆動用電源の電圧）
ＶBE=トランジスタ３７のベース・エミッタ間電圧の電圧が印加されることになる。
【００２９】
つまり抵抗Ｒａ〜Ｒｎには下記の電流Ｉｎが流れることとなる。  
Ｉｎ＝Ｖａ／抵抗Ｒａ〜Ｒｎの抵抗値Ｒａ〜Ｒｎ、この電流Ｉｎは、トランジスタ３７がターンオンしていることから、ＬＥＤ１１にも流れる事になり、ＬＥＤ駆動部２３はＬＥＤ１１を電流Ｉｎで駆動する定電流回路が構成される。  
従って、抵抗Ｒａ〜Ｒｎの抵抗値Ｒａ〜Ｒｎを異なる設定にしておけば、定電流回路Ｉｎの電流値は、自由に設定することができる。  
この状態で、光学アダプタ４が取り外されると、光学アダプタ着脱判定部２４が光学アダプタ４が取り外されたと判断し、スイッチ回路１８の第１スイッチ１８ａを着脱判定用電源２１側に、第２スイッチ１８ｂをオープンにそれぞれする。
【００３０】
さらに光学アダプタ種別判定部２５にも電圧が印加されなくなるので、システム制御部２９は、ＬＥＤ駆動部２３のＬＥＤ点灯信号Ｓａ〜Ｓｎをターンオフにする制御をする。  次に本実施例の動作を図４のフローチャートを参照して説明する。  
内視鏡装置本体５の電源がＯＮすると、光学アダプタ着脱判定部２４を構成する第１電圧検出回路３５の出力信号により、スイッチ回路１８は図２或いは図３に示す接点状態になっている。つまり、図５のステップＳ１に示すように第１スイッチ１８ａは着脱判定用電源２１側が選択され、第２スイッチはＬＥＤ駆動部２３に電流が流れないオープン状態（図２参照）となっている。  
そして、次のステップＳ２において、光学アダプタ着脱判定部２４は、光学アダプタ４が接続されるのを待つ状態となる。
【００３１】
ここで光学アダプタ４が接続されると、着脱判定用電源２１→ スイッチ回路１８（の第１スイッチ１８ａ）→光学アダプタ４の抵抗体１３(の抵抗１２)→光学アダプタ着脱判定部２４(抵抗３１→抵抗３２)に至る閉回路Ａが形成される。そして、光学アダプタ着脱判定部２４は、光学アダプタ４が接続されたと判定する。  
着脱判定用電源２１の電圧は、光学アダプタ４のＬＥＤ１１のＶｆ(順方向降下電圧)以下に設定され、上記閉回路Ａが成立する。そして、光学アダプタ着脱判定部２４のＦＥＴ３３のゲートには、抵抗３２にかかる電圧が印加され、ＦＥＴ３３がターンオンする。    ＦＥＴ３３がターンオンすると、第１電圧検出回路３５の入力端の電圧が０Ｖ(ＧＮＤ)となり、第１電圧検出回路３５は、この０Ｖの電圧を検出して、その出力端から接続判定の制御信号を出力する。
【００３２】
また、ステップＳ２の処理と同時に、ステップＳ３に示すように光学アダプタ種別判定部２５は、光学アダプタ４の種別の判定を行う。図２或いは図３に示すように、着脱判定用電源２１→ スイッチ回路１８（の第１スイッチ１８ａ）→光学アダプタ４の抵抗体１３（の抵抗１２）→光学アダプタ種別判定部２５に至る閉回路が形成される。  
そして、光学アダプタ種別判定部２５を構成する第２電圧検出回路３６は、信号線１７ｂの電圧から、どのような光学アダプタ４が接続されたかの種別判定をする。そして、光学アダプタ種別判定部２５は、種別を判定した種別判定の制御信号をシステム制御部２９に転送する。なお、種別を判定できない場合にはステップＳ２に戻る。
【００３３】
また、次のステップＳ４において、種別判定の制御信号を受けたシステム制御部２９は、ＬＥＤ駆動部２３に光学アダプタ４の種類(ＬＥＤの数や、側視、直視、ステレオ用直視、ステレオ用側視等)にあわせた最適なＬＥＤ点灯信号Ｓｉ（ｉ＝ａ〜ｎ）をＬＥＤ駆動部２３に供給する。  
最適なＬＥＤ点灯信号Ｓｉが供給されたトランジスタＱｉは、ターンオンできる状態になる（但し、この状態では、第２スイッチ１８ｂが、トランジスタ３７を非導通にするオープン状態であるので、次のステップＳ５の処理後に実際にターンオンとなる）。  
次のステップＳ５において、光学アダプタ着脱判定部２４の第１電圧検出回路３５から出力される接続判定の制御信号により、スイッチ回路１８は、第１スイッチ１８ａがＬＥＤ点灯用電源２２側に、第２スイッチ１８ｂがクローズ状態になる。
【００３４】
つまり、スイッチ回路１８の第１スイッチ１８ａ、第２スイッチ１８ｂは、図２或いは図３に示した状態とは違う接点ｂ側がＯＮするように接点切替が行られる。  
すると、上記のようにトランジスタ３７がターンオンし、このトランジスタ３７のコレクターエミッタを経てＬＥＤ駆動部２３側にＬＥＤ点灯用電源２２による電流が流れる経路ができる。また、最適なＬＥＤ点灯信号Ｓｉが供給されたトランジスタＱｉも、ターンオンする。  
そして、ステップＳ６に示すようにＬＥＤ１１には、最適な電流で点灯されることになる。  
このようにしてＬＥＤ１１が最適な電流で点灯される状態になると、ステップＳ７に示すように光学アダプタ着脱判定部２４は、光学アダプタ４が取り外されているかの判定を常時行う。
【００３５】
そして、光学アダプタ４が取り外されると、ステップＳ８に示すようにＬＥＤ１１は消灯する。また、光学アダプタ着脱判定部２４は、システム制御部２９に光学アダプタ４が取り外された制御信号を送る。  
すると、ステップＳ９に示すようにシステム制御部２９は、最適なＬＥＤ点灯信号ＳｉをＬＥＤ駆動部２３に供給するのを停止する（ＬＥＤ駆動部２３は、ターンオフ）。  
また、次のステップＳ１０において光学アダプタ着脱判定部２４は、スイッチ回路１８の第１スイッチ１８ａを着脱判定用電源２１側に、第１スイッチ１８ｂをオープンにそれぞれ切り替える制御を行う。つまり、図２或いは図３に示す状態にする。そして、ステップＳ２に戻り、同様の処理を繰り返すことになる。
【００３６】
このように動作する本実施例によれば、発光体としてのＬＥＤ１１を含む抵抗体１３が搭載される光学アダプタ４側に必要となる接点数を２個としてそれに必要な信号線の本数も２本に削減でき、光学アダプタ４の小型化、細径化を実現できる。  
また、光学アダプタ４が着脱自在（着脱可能）な先端部３に必要な接点数も２個として、これに必要な信号線本数も２本で済むようにして、挿入部２の細径化を実現すると共に、先端部径の細径化と小型化を実現できる。  
また、内視鏡装置本体５内のスイッチ回路１８により、光学アダプタ４の着脱判定時（より正確には取り外し→接続時）には、低電圧の着脱判定用電源２１を用いて光学アダプタ４側に設けた抵抗１２を経由した電圧に基づいて着脱判定を行い、光学アダプタ４が接続されると、ＬＥＤ１１を点灯させるＬＥＤ点灯用電源２２に切り替える構成にすることにより、信号線本数の削減と共に、省電力化等を実現している。
【００３７】
つまり、ＬＥＤ点灯用電源２２を用いて、着脱判定が可能であるが、これよりも低電圧の着脱判定用電源２１を用いた方が、接続されていない時の電力消費を低減できる。  
また、光学アダプタ４の２接点間に接続した抵抗１２の値を、その光学アダプタ４の種別に応じて変更することにより、簡単に光学アダプタ４の種別判定ができる。  
特に、着脱判定用電源２１の電圧を、ＬＥＤ１１のＶｆ（順方向降下電圧）未満の値に設定することにより、種別判定用の抵抗１２と並列に接続されるＬＥＤ１１（及びその直列接続数）に殆ど影響されないで、種別判定を精度良く行うことができる。  
つまり光学アダプタ４の抵抗１２の抵抗値を光学アダプタ４の種別毎に変えることにより数多くの光学アダプタ４の種別判定が可能となる。
【００３８】
なお、光学アダプタ４の抵抗１２の抵抗値を光学アダプタ４の種別毎に変える場合、光学アダプタ４に搭載されているＬＥＤ１１の個数の他に、対物レンズ１０が直視型、側視型等の種別も識別できるように設定することができる。  
また、対物レンズ１０の光学特性等に応じて、その特性等の違いを抵抗１２の抵抗値に設定して、その特性の違いを種別判定ができるようにしても良い。そして、その種別判定の結果により、画像処理部２８による画像処理を対物レンズ１０の光学特性等に応じて変更することもできる。
【００３９】
尚、光学アダプタ着脱判定部２４の第１電圧検出回路３５は、コンパレータや、ＦＥＴ等で構成しても実現できるが、ＣＰＵのようなものでも実現可能である。  
また、スイッチ回路１８は、リレー、フォトカプラ、フォトＭＯＳリレー、ＦＥＴ、トランジスタ等で実現できる。  
なお、第１スイッチ１８ａにより着脱判定用電源２１とＬＥＤ点灯用電源２２とを切り替える代わりに、光学アダプタ着脱判定部２４の出力信号で、例えば可変電圧源の電圧をＬＥＤ１１のＶｆ（順方向降下電圧）より低い電圧（着脱判定用電源２１の状態）と、少なくともＬＥＤ１１のＶｆより高い電圧（ＬＥＤ点灯用電源２２の状態）とを切り替えるようにしても良い。
【実施例２】
【００４０】
次に図５を参照して、本発明の実施例２を説明する。図５は実施例２の内視鏡装置における主要部の回路構成を示す。  
図５に示す実施例２の回路構成は、図３に示す回路構成において、ＬＥＤ駆動部２３にオペレーショナルアンプ（オペアンプと略記）４１と、積分回路４２とを追加した構成にしたものである。  
オペアンプ４１を追加することにより、トランジスタ３７がターンオンし、ＬＥＤ１１が点灯中の時、トランジスタ３７の温度変動によるＶBEの変化を補償することが可能で、高精度な定電流回路を構成することができる。  
また、積分回路４２は、抵抗４３とコンデンサ４４とから構成され、この積分回路４２により、トランジスタ３７のベースにかかる電圧を遅延させることができ、ＬＥＤ１１に流れる電流を徐々に上げること(ＬＥＤの光量を徐々に上げる)が可能となる。
【００４１】
それ以外の構成は同じであるので省略する。  
本実施例によれば、実施例１の作用効果の他に、上記したようにトランジスタ３７の温度変動によるＶBEの変化を補償して、ＬＥＤ１１を高精度に最適な電流で点灯させることができる。また、積分回路４２による遅延手段により、ＬＥＤ１１の点灯時や消灯時に望ましくない過渡的な電流が流れるのを有効に抑制できる。
【実施例３】
【００４２】
次に本発明の実施例３を図６を参照して説明する。図６は実施例３の内視鏡装置における主要部の回路構成を示す。  
図６に示す実施例３の回路構成は、図３に示す回路構成において、光学アダプタ４の抵抗体１３に新たに抵抗５１を追加したものである。  
本実施例では、抵抗５１が光学アダプタ４の種別判定用の抵抗として、抵抗１２を着脱判定用の抵抗として利用する。このため、抵抗５１の抵抗値は、光学アダプタ４毎に異なる値に設定する。  
その他の構成は、実施例１と同様である。  
本実施例では、光学アダプタ４の接続検知後におけるＬＥＤ１１点灯時の制御方法は、これまでの制御方法と異なり、後述する実施例６と類似する。
【００４３】
光学アダプタ着脱判定部２４により、光学アダプタ４の接続が検出されると、スイッチ回路１８は図６の接点状態から他方の接点状態に切り替えられる。  
この場合、はじめに最も電流量の低いＬＥＤ点灯信号ＳａでトランジスタＱａをターンオンさせておき、ＬＥＤ１１が点灯し、抵抗５１で発生した電圧加算分を光学アダプタ種別判定部２５が検出し、最適なＬＥＤ点灯信号Ｓｉで定電流制御する。  
従って、抵抗１２は着脱判定用として抵抗値は一定値で構わない。ただしＬＥＤ１１がＶｆ以上で点灯した時のアノード−カソード間の抵抗値に比べて大きく設定する。本実施例の構成によっても、実施例１のように光学アダプタ４の小型化等を実現できる。
【実施例４】
【００４４】
次に本発明の実施例４を図７及び図８を参照して説明する。図７は実施例４の内視鏡装置における主要部の回路構成を示す。  
図７に示す本実施例の回路構成は、図３の回路構成において、信号線１７ａの途中に設けられた第３スイッチ６１と、この第３スイッチ６１のＯＮ／ＯＦＦ指示を行うスイッチ指示部６２と、スイッチ指示部６２の指示により第３スイッチ６１のＯＮ／ＯＦＦ制御を行うスイッチ制御部６３とを追加した構成になっている。  
また、光学アダプタ着脱判定部２４の第１電圧検出回路３５は、実施例１のようにスイッチ回路１８を制御すると共に、スイッチ制御部６３にも着脱判定の制御信号を送る。そして、スイッチ制御部６３は、第１電圧検出回路３５からの制御信号に応じて第３スイッチ６１のＯＮ／ＯＦＦ（クローズ／オープン）を制御する。その他の構成は実施例１と同様である。
【００４５】
以下、実施例１と異なる部分のみを説明する。  
光学アダプタ４が接続されていない状態で、スイッチ指示部６２（図１のユーザインタフェース７上のモーメンタリのスイッチ等）より、スイッチＯＮ指示がスイッチ制御部６３に入ると、スイッチ制御部６３は、第３スイッチ６１をＯＮにする。  
光学アダプタ着脱判定部２４は、光学アダプタ４が接続されていないと、スイッチ回路１８には制御信号を送らず、スイッチ回路１８の接点の接続状態は、図３或いは図７に示してあるものと同じ（接点ａ側がＯＮ）である。  
同時に、光学アダプタ着脱判定部２４は、スイッチ制御部６３に制御信号を送り、第３スイッチ６１をＯＦＦにさせる。
【００４６】
つまり、光学アダプタ４が接続されている状態で、ユーザがスイッチ指示部６２をＯＮ動作させない限り、光学アダプタ４の電気接点１４には、電圧が全く発生されないことを意味する。  
光学アダプタ４が接続されている状態で、スイッチ指示部６２よりスイッチＯＮ指示がスイッチ制御部６３に入ると、第３スイッチ６１がＯＮになる。  
そして、光学アダプタ４のＬＥＤ１１が点灯している状態で、光学アダプタ４が取り外されると、光学アダプタ４のＬＥＤ１１が消灯し、光学アダプタ着脱判定部２４が光学アダプタ４が取り外されたと判断し、スイッチ回路１８に制御信号を送り、スイッチ回路１８の第１スイッチ１８ａを着脱判定用電源２１側に、第２スイッチ１８ｂをオープンにする。
【００４７】
同時に、光学アダプタ着脱判定部２４は、スイッチ制御部６３に制御信号を送り、第３スイッチ６１をＯＦＦする。  
尚、第１電圧検出回路３５や、スイッチ制御部６３は、コンパレータや、ＦＥＴ、ＡＤコンバーター等で構成しても実現できるが、ＣＰＵのようなものでも実現可能である。    また、スイッチ回路１８は、リレー、フォトカプラ、フォトＭＯＳリレー、ＦＥＴ、トランジスタ等で実現できる。  
さらに図７を、実施例２の回路図のように、オペアンプ４１と、積分回路４２を追加した回路構成にすることも可能である。  
次に本実施例の動作を図８のフローチャートを参照して説明する。
【００４８】
電源がＯＮされると、最初のステップＳ１１において、スイッチ回路１８の第１スイッチ１８ａは着脱判定用電源側に、第２スイッチ１８ｂはオープンにされる。また、第３スイッチ６１も、オープンである。  
次のステップＳ１２において、スイッチ指示部６２から（第３スイッチ）ＯＮ指示が出されるのを待つ待機状態になる。そして、ＯＮ指示が出されると、次のステップＳ１３においてスイッチ制御部６３は、第３スイッチ６１をクローズ状態（ＯＮ状態）にする。    すると、次のステップＳ１４において、光学アダプタ着脱判定部２４は、光学アダプタ４が接続されているかの判定を行う。  
光学アダプタ４が接続されていないと判定した場合には、ステップＳ１５に示すように第３スイッチ６１がオープンにされる。つまり、光学アダプタ着脱判定部２４の制御信号で、スイッチ制御部６３を介して第３スイッチ６１がオープンにされた後、ステップＳ１２に戻る。
【００４９】
一方、光学アダプタ４が接続されていると判定した場合には、ステップＳ１６に進み、光学アダプタ種別判定部２５は、光学アダプタ４の種別の判定処理を行う。そして、光学アダプタ４の種別の判定がされない場合（できない場合）には、ステップＳ１７において、ステップＳ１５の処理場合と同様に第３スイッチ６１がオープンにされた後、ステップＳ１２に戻る。  
光学アダプタ４の種別の判定がされた場合には、その種別判定の制御信号がシステム制御部２９に送られる。そして、ステップＳ１８において、その制御信号を受けたシステム制御部２９は、最適なＬＥＤ点灯信号ＳｉをＬＥＤ駆動部２３に供給する。  
次のステップＳ１９において、光学アダプタ着脱判定部２４は、接続判定の制御信号によりスイッチ回路１８の第１スイッチ１８ａをＬＥＤ点灯用電源２２側に、第２スイッチ１８ｂをクローズする。
【００５０】
これにより、ステップＳ２０に示すようにＬＥＤ１１には最適な電流が流れて点灯する。このようにＬＥＤ１１が点灯する状態になると、ステップＳ２１に示すようにスイッチ制御部６３は、スイッチ指示部６２から（第３スイッチ）ＯＦＦ指示が出されるのを監視する状態になる。  
そして、スイッチ指示部６２からＯＦＦ指示が出されないと、ステップＳ２２に示すように、光学アダプタ着脱判定部２４は、光学アダプタ４が取り外されていないかを判定する。そして、光学アダプタ４が取り外されていないと、ステップＳ２１に戻る。  
逆に光学アダプタ４が取り外されていると、ステップＳ２３に示すようにＬＥＤ１１は消灯する。
【００５１】
そして、次のステップＳ２４に示すようにシステム制御部２９は、最適なＬＥＤ点灯信号Ｓｉの供給を停止し、ＬＥＤ駆動部２３を（ターンオフ）する。また、ステップＳ２５に示すようにスイッチ制御部６３は、第３スイッチ６１をオープンにする。また、光学アダプタ着脱判定部２４は、スイッチ回路１８の第１スイッチ１８ａを着脱判定用電源２１側に、第２スイッチ１８ｂをオープンにする。そして、ステップＳ１２に戻る。  
一方、ステップＳ２１において、スイッチ指示部６２からＯＦＦ指示が出されると、ステップＳ２６に示すようにシステム制御部２９は、最適なＬＥＤ点灯信号ＳｉのＬＥＤ駆動部２３への出力を停止し、ＬＥＤ駆動部２３はターンオフし、ステップＳ２７に示すようにＬＥＤ１１は消灯する。  
次のステップＳ２８において、ステップＳ２５と同じ処理をする。そして、ステップＳ１２に戻る。  
このように動作する本実施例によれば、実施例１と同様の効果を有すると共に、さらにユーザの指示により光学アダプタ４側に電源の供給／供給停止の制御ができる。
【実施例５】
【００５２】
次に本発明の実施例５を図９を参照して説明する。図９は実施例５の内視鏡装置における主要部の回路構成を示す。本実施例は、光学アダプタ４の電気接点１４を３個にし、これに対応して内視鏡装置本体５側の電気接点１５も３個にした構成である。  
光学アダプタ４内のＬＥＤ１１のカソードと、抵抗体１３の抵抗１２の片方の端子を共通のＧＮＤに接続して、３つの内の１つの電気接点１４に接続し、ＬＥＤ１１のアノードと抵抗１２の他方の端子をそれぞれ別の電気接点１４に接続している。  
また、内視鏡装置本体５側では、ＬＥＤ１１のアノードに接続された電気接点１４に接続される電気接点１５に接続される信号線１７ａは、ＬＥＤ駆動部２３と接続される。   このＬＥＤ駆動部２３は、実施例１〜実施例４の場合の吸い込み型とは異なり、吐き出し型の定電流回路を構成している。
【００５３】
つまり、信号線１７ａは、ＬＥＤ駆動部２３を構成するＰＮＰ型のトランジスタ３７′のコレクタに接続され、このトランジスタ３７′のエミッタにＬＥＤ駆動電流設定部３８を構成する抵抗Ｒａ、Ｒｂ、…、Ｒｎが接続されている。これらの抵抗Ｒａ、Ｒｂ、…、Ｒｎには、それぞれＰＮＰ型のトランジスタＱａ、′、Ｑｂ′、…、Ｑｎ′のコレクタが接続され、各エミッタは、ＬＥＤ点灯用電源２２に接続される。このトランジスタ３７′のベースは、ＬＥＤ駆動用電源に接続されている。  
そして、トランジスタＱａ、′、Ｑｂ′、…、Ｑｎ′のベースには、実施例１等の場合と同様にＬＥＤ点灯信号Ｓａ、Ｓｂ、…、Ｓｎを印加できるようにしている。  
また抵抗１２に導通する信号線１７ｂには、その途中に抵抗７１が接続され、この抵抗７１の両端の電圧を第１電圧検出回路３５で検出することにより、光学アダプタ４の着脱判定を行う光学アダプタ着脱判定部２４が形成されている。
【００５４】
この抵抗７１は、さらに直列の抵抗７２を介して着脱判定用電源２１に接続されている。そして、抵抗７１と抵抗７２との接続点の電圧を第２電圧検出回路３６で検出することにより、光学アダプタ４の種別を判定する光学アダプタ種別判定部２５が形成されている。  
この光学アダプタ種別判定部２５は、抵抗７２と、抵抗１２の比(なお、抵抗７１は抵抗７２、抵抗１２に比べ、非常に小さい抵抗値にできるので無視できる)により、光学アダプタ４の種別を判定し、その判定結果の制御信号をシステム制御部２９に転送する。  
システム制御部２９はこれを受け、ＬＥＤ駆動部２３に光学アダプタ４の種類にあわせてＬＥＤ点灯信号Ｓａ〜Ｓｎから１つを印加するように制御する。その他の構成は実施例１と同様である。  
このような構成による本実施例の動作を説明する。  
光学アダプタ４が接続されると、光学アダプタ着脱判定部２４は、抵抗７１の両端に電圧が発生したことを検出することにより、光学アダプタ４が接続されたと判定する。そして、光学アダプタ４が接続された事を、システム制御部２９に通知する。システム制御部２９はこの通知を受けて、続けて種別判定の情報を得ることになる。
【００５５】
光学アダプタ種別判定部２５の第２電圧検出回路３６は、抵抗７２と７１との接続点の電圧を検出することにより、接続された光学アダプタ４の種別を判定して、判定した制御信号をシステム制御部２９に送る。  
制御信号を受けたシステム制御部２９は、その種別に対応するＬＥＤ点灯信号ＳｉをＬＥＤ駆動部２３のトランジスタＱｉ′のベースに印加する。そして、そのトランジスタＱｉ′を導通状態にして、そのコレクタに接続された抵抗Ｒｉを経由してＬＥＤ１１に最適な電流が流れ、ＬＥＤ１１が点灯する。  
また、この状態において、光学アダプタ着脱判定部２４は、光学アダプタ４が接続状態から取り外されるのを監視している。そして、取り外されると、ＬＥＤ１１は消灯すると共に、光学アダプタ着脱判定部２４は、光学アダプタ４が取り外されたことをシステム制御部２９に通知する。システム制御部２９は、この通知を受けてＬＥＤ点灯信号Ｓｉの出力を停止し、トランジスタ３７′をターンオフにする。
【００５６】
そして、初期状態に戻り、光学アダプタ着脱判定部２４は、光学アダプタ４が接続されるのを待つ状態になる。  
本実施例によれば、スイッチ回路を用いて電源の切替を行うことなく、着脱判定用電源２１を用いて光学アダプタ４の着脱判定と、種別判定とを行い、接続された場合にはＬＥＤ点灯用電源２２からＬＥＤ点灯させる電源を供給してＬＥＤ１１を適切な電流で点灯させることができる。  
尚、本実施例では光学アダプタ着脱判定部２４と、光学アダプタ種別判定部２５とを分けて明示しているが、どちらも電圧検知する機能を有するので、２つの機能を併せて行うようにしていても良い。具体的には、光学アダプタ種別判定部２５により、光学アダプタの着脱判定と種別判定との両方を行うようにしても良い。つまり、光学アダプタ種別判定部２５により、光学アダプタ着脱＆種別判定手段と考えてもよい。
【００５７】
なお、本実施例では、光学アダプタ４の電気接点１４と、内視鏡装置本体５側（挿入部２の先端部３側）の電気接点１５と３個にした構成であるが、例えばＧＮＤとして使用する信号線１７ｃをＣＣＤ１６に接続される信号線２６におけるＧＮＤと共通化することにより、挿入部２内での信号線本数を増加させる事無く達成するようにしても良い。  
また、実施例４の回路図（図７）のようにスイッチ指示部６２、スイッチ制御部６３を設けると共に、第３スイッチ６１を着脱判定用電源２１と抵抗７２の間に挿入し、光学アダプタ着脱判定部２４の判定結果によりスイッチ制御部６３を制御しても良い。
【００５８】
尚、光学アダプタ着脱判定部２４の電圧検出回路は、コンパレータや、Ａ−Ｄコンバータ等でも実現できる。また、トランジスタＱａ′〜Ｑｎ′は、ＦＥＴや、リレー、フォトカプラ、フォトＭＯＳリレーでも実現できる。
【実施例６】
【００５９】
次に図１０から図１２を参照して本発明の実施例６を説明する。図１０は実施例６における主要部の構成をブロック図で示す。実施例１から実施例４までは２本の信号線１７ａ、１７ｂとするためにスイッチ回路１８を設けた構成にしていたが、本実施例ではスイッチ回路１８を用いることなく２本の信号線１７ａ、１７ｂで光学アダプタ４の着脱及び種別を判定できる構成にしたものである。  
このため、本実施例における内視鏡装置本体５は、図２の内視鏡装置本体５において、スイッチ回路１８が設けてないで、信号線１７ａと１７ｂ間に光学アダプタ４の着脱判定と種別判定をする光学アダプタ着脱種別判定部８１を設け、図２の光学アダプタ着脱判定部２４と光学アダプタ種別判定部２５を省いた構成にしている。
【００６０】
また、本実施例では、図２に示した着脱判定用電源２１を設けない構成にしている。そして、ＬＥＤ点灯用電源２２を信号線１７ａに接続し、他方の信号線１７ｂにＬＥＤ駆動部２３を接続し、このＬＥＤ駆動部２３をシステム制御部２９により駆動制御する構成にしている。  
図１０に示した各部のより詳細な構成を図１１に示す。  
図１１に示すように本実施例における光学アダプタ４においては、図３に示した抵抗体１３内の抵抗１２が設けてない構成になっている。なお、本実施例における光学アダプタ４は、ＬＥＤ１１の個数が異なると、光学アダプタ４の種別も異なるようにしている。そして、本実施例では、ＬＥＤ１１の個数で種別を判定できるようにしている。
【００６１】
また、本実施例における内視鏡装置本体５は、図３の内視鏡装置本体５において、信号線１７ａ、１７ｂ間に電圧検出回路８２を接続して光学アダプタ４の着脱と種別を判定する光学アダプタ着脱種別判定部８１を形成している。ＬＥＤ駆動部２３の構成は、図３で示したＬＥＤ駆動部２３と同じ構成であり、ＬＥＤ駆動部２３を構成するトランジスタ３７のベースは常時ＬＥＤ駆動用電源に接続された状態になっている。  
このような構成による本実施例の動作を説明する。  
内視鏡装置本体５の電源がＯＮすると、システム制御部２９は、例えば最も電流量の少ない(最も大きい抵抗値Ｒａの)ＬＥＤ点灯信号Ｓａのみをターンオンする。  
この状態で光学アダプタ４が接続されていない場合は、光学アダプタ着脱種別判定部８１の電圧検出回路８２は、光学アダプタ４が接続されていないと判定し、その判定の制御信号をシステム制御部２９に送る。
【００６２】
システム制御部２９はこれを受け、ＬＥＤ駆動部２３にＬＥＤ点灯信号Ｓａのみを出力して、そのＬＥＤ点灯信号Ｓａがベースに印加されたトランジスタＱａをターンオン状態で待機する指示をする。  
なお、ここでの電圧検出回路８２はＡＤコンバータのようなもので実現可能である。    またシステム制御部２９は、コンパレータやＣＰＵというもので実現できる。  
そして、光学アダプタ４が接続されると、光学アダプタ着脱種別判定部８１の電圧検出回路８２は、光学アダプタ４が接続されたと判定し、かつ光学アダプタ４のＬＥＤ１１の直列数(種別判定)を判定し、システム制御部２９に制御信号を転送する。  
システム制御部２９はこれを受け、ＬＥＤ駆動部２３に光学アダプタ４のＬＥＤ１１の直列数に最適な電流値とするために、ＬＥＤ点灯信号Ｓａ〜Ｓｎの内のどれかをターンオン制御する。
【００６３】
白色のＬＥＤ１１の直列数における電圧検出回路８２により検出される検出電圧の代表例を参考に下記に記載する。  
白色ＬＥＤの直列数    検出電圧(Ｖ)
１                      ３.５
２                      ７.０
３                      １０.５
４                      １４.０
５                      １７.５
６                      ２１.０
このように光学アダプタ４に搭載されているＬＥＤ１１の直列数（直列接続個数）に伴う検出電圧値の違いで、電圧検出回路８２は、光学アダプタ４の着脱及び光学アダプタ４の種別（種類）の判定が可能となる。
【００６４】
本実施例による処理手順の動作を図１２のフローチャートにより説明する。  
電源がＯＮされると、最初のステップＳ３１においてシステム制御部２９は、最も電流量の少なくするＬＥＤ点灯信号Ｓａのみをターンオンする。  
この状態において、ステップＳ３２に示すように光学アダプタ着脱種別判定部８１は、光学アダプタ４が接続されているか否かを判定し、光学アダプタ４が接続されるのを待つ。  
そして、光学アダプタ４が接続されると、ステップＳ３３に示すようにＬＥＤ１１は最低の電流で点灯される。光学アダプタ着脱種別判定部８１により、光学アダプタ４が接続され、かつＬＥＤ１１の直列数の情報を持った制御信号が送られたシステム制御部２９は、最適なＬＥＤ点灯信号Ｓｉをターンオンし、同時に最も電流量を少なくするＬＥＤ点灯信号Ｓａをターンオフにする。
【００６５】
このようにして、ＬＥＤ１１は最適な電流で点灯する。ＬＥＤ１１が最適な電流で点灯する状態になると、ステップＳ３６に示すように光学アダプタ着脱種別判定部８１の電圧検出回路８２は、光学アダプタ４の取り外しを電圧検出により監視する。  
そして、光学アダプタ４の取り外しを検出すると、ステップＳ３７に示すようにＬＥＤ１１は消灯する。  
また、光学アダプタ着脱種別判定部８１の電圧検出回路８２から取り外された情報を持つ制御信号が送られたシステム制御部２９は、ステップＳ３８に示すように最適なＬＥＤ点灯信号Ｓｉをターンオフにすると同時に、最も電流量を少なくするＬＥＤ点灯信号Ｓａのみをターンオンする。そして、ステップＳ３２に戻る。
【００６６】
本実施例によれば、着脱判定用電源を必要としない簡単な構成で光学アダプタの着脱判定及び種別判定を行い、接続された光学アダプタ４に搭載されたＬＥＤの個数に応じて適切な電流で点灯させることができる。
【００６７】
なお、上述した各実施例において、以下の（ａ）〜（ｄ）、つまり
（ａ）光学アダプタ４を接続していない状態で電源ＯＮした時、
（ｂ）光学アダプタ４を接続した状態で電源ＯＮ、又は電源ＯＮした後に光学アダプタ４を接続したにも関わらず、光学アダプタ着脱判定部２４で接続されていないと認識された時、
（ｃ）光学アダプタ４を接続した状態で電源ＯＮ、又は電源ＯＮした後に光学アダプタ４を接続したにも関わらず、光学アダプタ種別判定部２５で種別判定が出来なかった時、
（ｄ）電源ＯＮの状態で光学アダプタ４を外した時、
下記のいずれかの警告表示又は音声による告知等をするようにしても良い。
【００６８】
“光学アダプタが故障している可能性があります”  
“光学アダプタが緩んでいる可能性があります”  
“光学アダプタが正常に取り付けられておりません”  
なお、上述した各実施例などを部分的に組み合わせる等して構成される実施例等も本発明に属する。
【００６９】
「付記］
１．発光体が搭載された光学アダプタが、内視鏡挿入部の先端部に着脱可能な内視鏡装置において、
前記光学アダプタの着脱判定を行うための着脱判定用電源と、
前記発光体を点灯させるための発光体点灯用電源と、
前記発光体を駆動する発光体駆動手段と、
前記光学アダプタに接続される信号線に対して前記着脱判定用電源又は前記発光体点灯用電源に切替可能なスイッチ手段と、
前記スイッチ手段を経て前記着脱判定用電源からの信号線に接続された前記光学アダプタの前記発光体を含む抵抗体に流れる電流経路に基づいて前記光学アダプタの着脱及び種別の判定を行う光学アダプタ着脱判定手段及び光学アダプタ種別判定手段と、
を具備し、
前記光学アダプタ着脱判定手段が前記光学アダプタの着脱判定を行い、前記着脱判定用電源から前記発光体点灯用電源へと前記スイッチ手段を切替え、
前記光学アダプタ種別判定手段が前記光学アダプタの種別判定を行い前記発光体駆動手段に対する電流制御を行う
ことを特徴とする内視鏡装置。
【００７０】
２．発光体が搭載された光学アダプタが、内視鏡挿入部の先端部に着脱可能な内視鏡装置において、
前記光学アダプタの着脱判定を行うための着脱判定用電源と、
前記発光体を駆動する発光体駆動手段と、
前記着脱判定用電源からの信号線に接続された前記光学アダプタの前記発光体を含む抵抗体に流れる電流経路に基づいて前記光学アダプタの着脱及び種別の判定を行う光学アダプタ着脱種別判定手段と、
を具備し、
前記光学アダプタの着脱種別判定を行った前記光学アダプタ着脱種別判定手段は、
前記発光体駆動手段に対する電流制御を行うことを特徴とする内視鏡装置。
【００７１】
３．発光体が搭載された光学アダプタが、内視鏡挿入部の先端部に着脱可能な内視鏡装置において、
第１の電源の低い電圧を信号線を介して、該信号線に接続される電気接点を経て前記光学アダプタの前記発光体と並列接続の抵抗に流れる電流経路に基づいて前記光学アダプタの接続時の種別の判定を行う光学アダプタ種別判定手段を具備し、
前記光学アダプタ種別判定手段は、前記光学アダプタの種別判定の結果により、第１の電源からより高い電圧値の第２の電源への切替と、前記発光体を駆動する発光体駆動手段に対する電流制御を行うことを特徴とする内視鏡装置。  
４．発光体が搭載された光学アダプタが、内視鏡挿入部の先端に着脱可能な内視鏡装置において、
着脱判定用電源と、発光体点灯用電源と、光学アダプタの抵抗体と、
光学アダプタ着脱種別判定手段と、発光体駆動手段を設け、
光学アダプタ着脱種別判定手段の結果により、発光体点灯用電源のＯＮ/ＯＦＦを制御し、
かつ発光体駆動手段の電流制御を変更させることを特徴とする内視鏡装置。
【産業上の利用可能性】
【００７２】
検査対象物の内部に挿入される内視鏡挿入部を備え、先端部に光学アダプタを着脱自在とすることにより、様々な検査対象物の場合にも適用できる。この場合、光学アダプタを小型かつ細径にすると共に、内視鏡挿入部も細径にすることにより、検査対象物内部が細径となっている場合にも広く適用できるようになる。
【図面の簡単な説明】
【００７３】
【図１】図１は本発明の実施例１の内視鏡装置の全体構成を示すブロック図。
【図２】図２は光学アダプタ着脱判部定及び光学アダプタ種別判定部等を備えた内視鏡装置における主要部の構成を示すブロック図。
【図３】図３は図２のより具体的な回路構成を示す回路図。
【図４】図４は実施例１の動作内容を示すフローチャート図。
【図５】図５は本発明の実施例２の内視鏡装置における主要部の回路構成を示す回路図。
【図６】図６は本発明の実施例３の内視鏡装置における主要部の回路構成を示す回路図。
【図７】図７は本発明の実施例４の内視鏡装置における主要部の回路構成を示す回路図。
【図８】図８は実施例４の動作内容を示すフローチャート図。
【図９】図９は本発明の実施例５の内視鏡装置における主要部の回路構成を示す回路図。
【図１０】図１０は本発明の実施例６の内視鏡装置における主要部の構成を示すブロック図。
【図１１】図１１は図１０のより具体的な回路構成を示す回路図。
【図１２】図１２は実施例６の動作内容を示すフローチャート図。
【符号の説明】
【００７４】
１…内視鏡装置
２…（内視鏡）挿入部
３…先端部
４…光学アダプタ
５…内視鏡装置本体
１０…対物レンズ
１１…ＬＥＤ
１２…抵抗
１３…抵抗体
１４、１５…電気接点
１６…ＣＣＤ
１７ａ、１７ｂ…信号線
１８…スイッチ回路
１８ａ、１８ｂ…スイッチ
２１…着脱判定用電源
２２…ＬＥＤ点灯用電源
２３…ＬＥＤ駆動部
２４…光学アダプタ着脱判定部
２５…光学アダプタ種別判定部
２９…システム制御部
３３…ＦＥＴ
３５、３６…電圧検出回路
３７…トランジスタ
【図１】
0004783084.tif 000002
【図２】
0004783084.tif 000003
【図３】
0004783084.tif 000004
【図４】
0004783084.tif 000005
【図５】
0004783084.tif 000006
【図６】
0004783084.tif 000007
【図７】
0004783084.tif 000008
【図８】
0004783084.tif 000009
【図９】
0004783084.tif 000010
【図１０】
0004783084.tif 000011
【図１１】
0004783084.tif 000012
【図１２】
0004783084.tif 000013